(57)【要約】【課題】複数種類の釣りの仕掛けのおもりに適用出来るようにし、また、根掛り等が生じにくくなるようにする。【解決手段】弾丸型の中通しおもり部４ｐと、略半球状の噛み潰しおもり部４ｋとを割り溝４ｃを介して一体化したおもり４を設け、中通しおもり部４ｐの中心部に中通し孔ｐを設けるとともに、噛み潰しおもり部４ｋに、中通し孔ｐの延長方向に沿って噛み潰し溝ｋを設ける。また、噛み潰しおもり部４ｋの側面に、釣り糸１をガイドするガイド溝ｇを設け、中通し孔ｐから噛み潰し溝ｋを通して挿通させた釣り糸１の先端側をガイド溝ｇに沿って割り溝４ｃに戻し、再度、噛み潰し溝ｋを通過させ、その後、噛み潰し溝ｋを潰すことで、釣り糸１の任意の位置におもり４を固定出来るようにする。【選択図】      図４
2004154062.tif 000002
【特許請求の範囲】
【請求項１】
釣り用のおもりであって、中通し孔が形成される中通しおもり部と、噛み潰し溝が形成される噛み潰しおもり部を一体に備え、前記中通しおもり部と噛み潰しおもり部の間には割り溝が形成されるとともに、前記噛み潰し溝は、前記中通し孔に連通して中通し孔の延長線方向に沿って形成されることを特徴とする釣り用おもり。
【請求項２】
前記中通し部は、一端側が先細りの弾丸形状にされることを特徴とする請求項１に記載の釣り用おもり。
【請求項３】
前記噛み潰しおもり部の表面の一部には、前記中通し孔から噛み潰し溝を挿通させた釣り糸を前記割り溝に戻すためのガイド溝が形成されることを特徴とする請求項１又は請求項２に記載の釣り用おもり。
【発明の詳細な説明】
【０００１】
【発明の属する技術分野】
本発明は、例えばルアー釣りに使用するおもりに関する。
【０００２】
【従来の技術】
従来、例えばワームを使用したルアー釣り用のおもりとして、いわゆるテキサスリグと呼ばれる仕掛けに使用される中通し式のおもり（バレットシンカー）や、スプリットリグと呼ばれる仕掛けに使用される噛み潰し式のおもり（スプリットシンカー）等が知られており、テキサスリグ用の中通しのおもり（バレットシンカー）は、通常、弾丸形状をしているため、水中や海中に存在する倒木や枝やテトラ等の障害物に掛かりにくく根掛りを生じにくいという特性を有しており、スプリットリグ用のおもり（スプリットシンカー）は、釣り糸の任意の箇所に固定して使用出来るという特性を有している。一方、中通し式のおもり（バレットシンカー）を釣り糸の所定部位から下方（釣り針側）に移動するのを規制するキャロライナリグという仕掛けも知られているが、この場合は、サルカン等を使用しておもり（バレットシンカー）の移動を規制するようにしている。
また、おもりの一部に形成した挿入部をワームに挿し込んで固定するようなフロリダリグと呼ばれる仕掛けや、釣り針の基端部におもりを固定して一体化するジグヘッドリグと呼ばれる仕掛けが使用されることもあり、前記フロリダリグ仕掛けの場合は、おもりをワームにしっかりと固定するため、例えばワームに対するおもりの挿入部に鋸刃ネジ状の係止部を設けるような技術も知られている。（例えば、特許文献１参照。）。
【０００３】
【特許文献１】
実用新案登録第３９１０４１１２１号（図１、図３、図４）
【０００４】
【発明が解決しようとする課題】
ところで、上記のような各種おもりは、その用途や目的等に応じて使い分けられており、例えばテキサスリグ用の中通し式のおもり（バレットシンカー）を釣り糸の任意の箇所に固定しようとすると、例えば釣り糸を通した中通しの孔に別途クサビ状部材等を挿し込んで釣り糸と孔の隙間を無くす等によって釣り糸とおもりを固定しなければならなかった。
また、スプリットリグ用のおもり（スプリットシンカー）は、一般的に形状が球状であるため、水中や海中に存在する倒木や枝やテトラ等の障害物に引っ掛かったり、根掛りを起こし易いという問題があった。
そして、いずれの場合も、それぞれの仕掛けに応じて専用のおもりを準備する必要があり、煩わしいという問題があった。
【０００５】
そこで本発明は、一つのおもりで、複数種類の仕掛けのおもりに適用出来るようにするとともに、倒木や枝やテトラ等の障害物に引っ掛かったり、根掛りが生じたりするような不具合を防止することを目的とする。
【０００６】
【課題を解決するための手段】
上記目的を達成するため本発明は、釣り用のおもりにおいて、中通し孔が形成される中通しおもり部と、噛み潰し溝が形成される噛み潰しおもり部を一体に設け、両者間に割り溝を形成するとともに、前記噛み潰し部の噛み潰し溝を、前記中通し孔に連通せしめて中通し孔の延長線方向に沿って形成するようにした。
【０００７】
そしてこのようなおもりに対し、例えば、中通しおもり部の中通し孔から噛み潰し溝を通しておもりの基端側から先端側まで釣り糸を挿通させた後、噛み潰し溝を潰すか、または、中通し孔から噛み潰し溝を挿通させた釣り糸を一旦割り溝の位置まで戻して、再度噛み潰し溝を通して前方に延ばし、その後噛み潰し溝を潰すようにすれば、おもりを釣り糸の任意の位置に固定できる。この際、中通し孔から噛み潰し溝を挿通させた釣り糸を一旦割り溝まで戻して、再度噛み潰し溝を通して前方に延ばし、その後噛み潰し溝を潰すようにすれば、おもりの位置を確実に固定出来るようになる。そして、おもりを釣り針から離れた位置の釣り糸部分に固定すれば、スプリットリグ仕掛けのような使用方法が可能であり、釣り針に隣接する釣り糸部分に固定すれば、フロリダリグ仕掛けに近い使用方法が可能である。また、釣り針との組合せによって、噛み潰し溝に釣り針の基端部を嵌入させて噛み潰し溝を潰せば、ジグヘッド仕掛けのような使用方法が可能である。
更に、通常の中通しおもりのように、釣り糸に対して固定しないでスライド自在に挿通させて遊動式で使用することも可能であり、この場合は、中通し孔と噛み潰し溝を通して釣り糸を通すだけで、噛み潰し溝を潰さないで使用するようにする。
ここで、中通しおもり部の形状は任意であり、例えば半球状にしたり、弾丸形状にしたり、その他の形状にしたりすることが出来る。また、噛み潰しおもり部の形状も任意であるが、半球状等が好ましい。
【０００８】
また、本発明では、前記中通し部の一端側を先細りの弾丸形状にするようにした。
そして、この先細り側が釣り糸の基端側（釣り竿側）に向くようにすることで、釣り糸を巻き戻す際に、おもりが水中、海中の倒木や枝やテトラ等の障害物に引っ掛かったり根掛りを起こしたりするような不具合を抑制することが出来る。
【０００９】
また本発明では、前記噛み潰しおもり部の表面の一部に、中通し孔から噛み潰し溝を通した釣り糸を前記割り溝に戻すためのガイド溝を形成するようにした。
そして、この中通し孔から噛み潰し溝を通した糸を再び割り溝に戻して噛み潰し溝を通して確実に固定しようとする際、釣り糸をガイド溝内に入れ込むことで、おもりの外面に釣り糸が飛び出して巻き付けられることがなく、釣り糸の保護等が図られる。
【００１０】
【発明の実施の形態】
本発明の実施の形態について添付した図面に基づき説明する。
ここで、図１は本発明に係る釣り用おもりが使用される仕掛けの一例の説明図、図２は本釣り用おもりの斜視図、図３は同釣り用おもりの三面図、図４は同釣り用おもりの装着方法の説明図、図５は同釣り用おもりをジグヘッド仕掛けに使用する場合の説明図、図６は中通しおもり部の先細り形状を長くした構成例図である。
【００１１】
本発明に係る釣り用おもりは、例えばワームを使用したルアー釣りに関し、一つのおもりで、複数種類の仕掛けのおもりに適用出来るようにされ、また、おもりが水中や海中の倒木や枝やテトラ等の障害物に引っ掛かりにくくなるようにされている。
【００１２】
ここで、図１に示す実施例では、釣り糸１の先端に釣り針２を取り付け、この釣り針２にワーム３をセットするようなルアー釣りの仕掛けにおいて、釣り糸１の任意の位置に本発明に係るおもり４をセット出来るようにされている。
【００１３】
すなわち、このおもり４は、例えば鉛や真鍮等の素材から構成され、図２及び図３に示すように、先端先細りの形状をした中通しおもり部４ｐと、略半球状の噛み潰しおもり部４ｋを一体に備えており、両者間には割り溝４ｃが形成され、前記中通しおもり部４ｐの中心部には、長手方向に沿って中通し孔ｐが形成されるとともに、噛み潰しおもり部４ｋには、中通し孔ｐの延長方向に沿って一定の深さで切り込まれる噛み潰し溝ｋが形成され、その深さは、中心部付近まで切り込まれる深さにされている。そして、本実施例では、噛み潰し溝ｋの付根部分の幅を広げており、後述する要領で、ある種類の釣り針２の基端部を嵌入せしめることが出来るようにしている。
【００１４】
また、前記割り溝４ｃの深さは、略中央部付近まで切り込まれていることにより、前記中通し孔ｐと噛み潰し溝ｋが連通状態になるようにされている。
【００１５】
そして、噛み潰しおもり部４ｋの両側側面には、割り溝４ｃと噛み潰し溝ｋの先端中央部を結ぶようなガイド溝ｇが中通し孔ｐと同じ高さ位置の外表面に沿って設けられており、このガイド溝ｇの深さは、釣り糸１を入れ込むことの出来る程度の比較的浅い溝としている。
【００１６】
以上のようなおもり４の装着方法の一例について、おもりの平面方向から見た説明図である図４に基づき説明する。
まず、図４（ａ）に示すように、釣り糸１を中通しおもり部４ｐの中通し孔ｐや、噛み潰しおもり部４ｋの噛み潰し溝ｋを通して前方に挿通させる。
【００１７】
次いで、図４（ｂ）に示すように、挿通させた釣り糸１先端側を側面のガイド溝ｇに沿って後方に戻し、割り溝４ｃを通して再度噛み潰し溝ｋを通して前方に延出させる。
そして、おもり４の位置を釣り糸１の適切な位置に調整した後、噛み潰し溝ｋを潰すことにより、おもり４の位置が任意の位置に確実に固定される。
そして、釣り糸１の先端部に釣り針２を取り付けて、この釣り針２にワーム３を刺してセットする。
【００１８】
以上のような要領で、釣り糸１の任意の位置におもり４を固定出来るようになり、例えば釣り針２に隣接した位置に固定することにより、おもりの一部をワームに挿し込むようなフロリダリグの仕掛けに近い使用をすることも可能であるが、例えば従来のテキサスリグと呼ばれる仕掛けのように、遊動式のおもり４に使用することも可能である。すなわち、この場合は、図４（ａ）に示すように、釣り糸１を中通しおもり部４ｐの中通し孔ｐや、噛み潰しおもり部４ｋの噛み潰し溝ｋを通して前方に挿通させるだけにしておく。
また、釣り糸１を中通し孔ｐを通した後、噛み潰し溝ｋに一回だけ通して釣り糸１を割り溝４ｃまで戻さず、そのまま噛み潰し溝ｋを潰して固定することも可能である。
【００１９】
そして、固定式或いは遊動式に取り付けられた本おもり４は、基端側（釣り竿側）が先細り形状であるため、釣り糸１を巻き取る時に、根掛りや障害物等に引っ掛かるようなトラブルが抑制される。
また、中通し孔ｐと噛み潰し溝ｋを通した釣り糸１を、一旦割り溝４ｃまで戻して再度噛み潰し溝ｋを通して固定する場合には、釣り糸１がガイド溝ｇ内に入り込んで噛み潰しおもり部４ｋの外表面に飛び出さないため、釣り糸１の保護が図られる。
【００２０】
次に、このおもり４をジグヘッド仕掛けに使用する場合の一例について図５に基づき説明する。
このおもり４は、釣り針２との組合せによってジグヘッド仕掛けにも用いることが出来るようにされ、図５に示すように、釣り針２の基端部を直接噛み潰し溝ｋ内に嵌入して噛み潰し溝ｋを潰すことにより、おもり４と釣り針２を固定する。
尚、この場合は、必ずしも釣り糸１を中通し孔ｐに通す必要はなく、釣り糸１を直接釣り針２に連結した後、おもり４と固定するようにすれば好適である。
【００２１】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、中通しおもり部４ｐの形状は、図６に示すように、弾丸形状のように先細り部を長くするようにしても良く、また、ガイド溝ｇは、噛み潰しおもり部４ｋの外面の両側でなく、いずれか一方だけに設けるようにしても良い。
また、おもりの材質は鉛や真鍮に限定されることなく任意である。また、噛み潰し溝ｋの深さをもっと深くすることも可能である。
更に、噛み潰し溝ｋの根元部分の幅を広くしてジグヘッド用仕掛けに用いるようにすることも本発明の必須要件ではない。
【００２２】
【発明の効果】
以上のように本発明に係る釣り用おもりは、中通し孔が形成される中通しおもり部と、噛み潰し溝が形成される噛み潰しおもり部を一体に設け、両者間に割り溝を設けるとともに、噛み潰し部の噛み潰し溝を、中通し孔に連通して中通し孔の延長線方向に沿って形成するようにしたため、必要に応じて、釣り糸の任意の位置に固定して使用したり、遊動式にして使用したりすることが出来るようになり、各種仕掛けのおもりとして適用出来るようになる。
また、中通し部を、一端側先細りの弾丸形状にすれば、釣り糸を巻き取る際に、水中や海中の倒木や枝、テトラ等の障害物に引っ掛かったり根掛りを起こしたりするような不具合が抑制される。
この際、噛み潰しおもり部の側面に、中通し孔から噛み潰し溝を通した釣り糸を割り溝に戻すためのガイド溝を形成すれば、おもりを確実に固定しようとする際、おもりの外面に釣り糸が露出するようなことがなく、釣り糸の保護等が図られる。
【図面の簡単な説明】
【図１】本発明に係る釣り用おもりが使用される仕掛けの一例の説明図
【図２】本釣り用おもりの斜視図
【図３】同釣り用おもりの三面図で、（ａ）は側面図、（ｂ）は平面図、（ｃ）は正面図
【図４】同釣り用おもりの装着方法をおもりの平面方向から見た説明図
【図５】同釣り用おもりをジグヘッド仕掛けに使用する場合の説明図
【図６】中通しおもり部の先細り部を長くした構成例図
【符号の説明】
１…釣り糸、３…ワーム、４…おもり、４ｐ…中通しおもり部、４ｋ…噛み潰しおもり部、４ｃ…割り溝、ｐ…中通し孔、ｋ…噛み潰し溝、ｇ…ガイド溝。
【図１】
2004154062.tif 000003
【図２】
2004154062.tif 000004
【図３】
2004154062.tif 000005
【図４】
2004154062.tif 000006
【図５】
2004154062.tif 000007
【図６】
2004154062.tif 000008